(57)【要約】【課題】  コンパクト化を図ることができるうえ手間やコストの低減を図れ、また、良好な通信を行うことができるＲＦＩＤ機能付軸受および軸受シールを提供する。【解決手段】  このＲＦＩＤ機能付軸受は、非接触状態で情報通信が可能なＲＦＩＤ（無線周波数認識；Radio Frequency Identification）機能を有する軸受である。ＲＦＩＤ機能付軸受は、ＩＣチップ１６およびこのＩＣチップ１６に接続されたアンテナ１７を含むインレット１４と、磁性シート１５とを、重なり状態で、軸受空間を密封する軸受シール５内に埋め込んで設けた。【選択図】      図１
2013151975.tif 000002
【特許請求の範囲】
【請求項１】
非接触状態で情報通信が可能なＲＦＩＤ機能を有する軸受であって、
ＩＣチップおよびこのＩＣチップに接続されたアンテナを含むインレットと、磁性シートとを、重なり状態で、軸受空間を密封する軸受シール内または軌道輪に埋め込んで設けたことを特徴とするＲＦＩＤ機能付軸受。
【請求項２】
請求項１において、前記アンテナは、平面状に巻回したコイル、または、フェライトコアに巻回した電線であるＲＦＩＤ機能付軸受。
【請求項３】
請求項１または請求項２において、前記インレットと磁性シートとを軸受シール内に埋め込んで設け、前記軸受シールは、芯金にゴムを加硫接着したものであり、ＩＣチップとアンテナと磁性シートとを、ゴムと同時に加硫接着し、前記磁性シートにおける軸受空間側の内側面を、軸受シール内の芯金に接触または近接して配置し、前記磁性シートの外側面にインレットを配置したＲＦＩＤ機能付軸受。
【請求項４】
請求項１または請求項２において、前記インレットと磁性シートとを軌道輪に埋め込んで設け、前記軌道輪の端面または周面に凹部を設け、この凹部にインレットと磁性シートとを設け、前記磁性シートの一側面を、前記軌道輪における凹部の底部に配置し、前記磁性シートの他側面にインレットを配置したＲＦＩＤ機能付軸受。
【請求項５】
請求項４において、前記軌道輪の凹部にインレットと磁性シートとを挿入して設け、前記凹部の開口部を、弾性材料または熱硬化性樹脂により封止したＲＦＩＤ機能付軸受。
【請求項６】
請求項１または請求項２において、前記ＩＣチップとアンテナとが同一の薄板状部材に実装して成り、この薄板状部材における実装面とは反対側の面に、磁性シートを貼り付けたＲＦＩＤ機能付軸受。
【請求項７】
請求項１ないし請求項６のいずれか１項において、前記ＩＣチップには、軸受の製造または検査に関する情報、および、軸受が装置に組み込まれた後に実施する、装置の点検情報または運転情報を記録するメモリが設けられているＲＦＩＤ機能付軸受。
【請求項８】
軸受に取付けられ軸受の軌道輪間の軸受空間を密封する軸受シールであって、この軸受シールは、芯金と、この芯金を覆う弾性体とを有し、
ＩＣチップおよびこのＩＣチップに接続されたアンテナを含むインレットと、磁性シートとを、重なり状態で前記弾性体内に埋め込んだことを特徴とする軸受シール。
【発明の詳細な説明】
【技術分野】
【０００１】
この発明は、ＲＦＩＤ機能付軸受および軸受シールに関し、ＲＦＩＤ用インレットを、軸受内外輪または軸受シールに、コンパクトに内蔵する技術に関する。
【背景技術】
【０００２】
図１１に示すように、軸受ゴムシールの芯金５０にＩＣタグ固定用の孔５０ａを設け、この孔５０ａにＩＣタグ５１を嵌め込んで加硫成型する技術が提案されている（特許文献１）。
また、図１２に示すように、軸受シールの芯金５２をアンテナとするＩＣタグ５３を、前記軸受シールに取り付けた技術が提案されている（特許文献２）。
【先行技術文献】
【特許文献】
【０００３】
【特許文献１】特開２００５−１７２１５３号公報
【特許文献２】特開２００５−１５５７３５号公報
【発明の概要】
【発明が解決しようとする課題】
【０００４】
図１１の技術では、主にＩＣチップおよびアンテナから成るＲＦＩＤ用インレットを内蔵したタグ形状（ＩＣタグ）を、軸受ゴムシールに内蔵する。このため、ＩＣタグ付軸受の幅寸法が大きくなり、軸受ゴムシールの表面から大きく出っ張る。またタグ形状であるため、インレット等をタグケースに内蔵する手間やコストを要する。
【０００５】
図１２の技術では、ＩＣタグ用アンテナを、軸受シールの芯金に兼用させるため、電磁結合や電磁誘導方式の場合、通信ができない。一般的に、ＩＣタグに対する情報の書き込みおよび読み取りを行うリーダライタから送信された磁界が、芯金の金属表面を透過すると、内部で渦電流が発生する。この渦電流が、リーダライタから送信された磁界とは、逆向きの磁界を発生させるため、正常な通信の妨げとなる。また、電波方式の場合でも、芯金の寸法や形状により、良好な通信が得られない場合がある。
【０００６】
この発明の目的は、コンパクト化を図ることができるうえ手間やコストの低減を図れ、また、良好な通信を行うことができるＲＦＩＤ機能付軸受および軸受シールを提供することである。
【課題を解決するための手段】
【０００７】
この発明における第１の発明のＲＦＩＤ機能付軸受は、非接触状態で情報通信が可能なＲＦＩＤ機能を有する軸受であって、ＩＣチップおよびこのＩＣチップに接続されたアンテナを含むインレットと、磁性シートとを、重なり状態で、軸受空間を密封する軸受シール内または軌道輪に埋め込んで設けたことを特徴とする。
前記ＲＦＩＤとは、無線周波数認識；Radio Frequency Identification を意味する。
前記磁性シートは、金属表面への電磁誘導を防止するものである。
【０００８】
この構成によると、インレットと磁性シートとを、重なり状態で軸受シール内または軌道輪に埋め込んで設けたため、例えば、ＩＣタグを軸受シールに内蔵したもの等より、ＲＦＩＤ機能付軸受全体のコンパクト化を図ることができる。インレット等をタグケースに内蔵するのではなく、インレットと磁性シートとを、直接、軸受シール内または軌道輪に埋め込むため、例えば、インレット等をタグケースに内蔵する手間やコストの低減を図ることができる。また磁性シートを介在させることで、ＩＣチップに対する情報の書き込みおよび読み取りを行う際、軸受シールや軌道輪の金属表面に電磁誘導が発生することを、未然に防止することができる。これにより、インレットと前記リーダライタとの間で良好な通信を行うことが可能となる。
【０００９】
前記アンテナは、平面状に巻回したコイル、または、フェライトコアに巻回した電線であっても良い。アンテナとして平面状に巻回したコイルを適用した場合、アンテナの薄型化を図れ、フェライトコアに巻回した電線を適用したものや、従来のタグ形状よりも、軸受全体のコンパクト化をより図ることができる。例えば、前記インレットと磁性シートとを軌道輪に埋め込んで設ける構成において、アンテナとしてフェライトコアに巻回した電線を適用した場合、従来のタグ形状等よりも、軌道輪に設ける凹部を小さくすることができる。これにより、軸受強度への影響を小さくすることができる。
【００１０】
前記インレットと磁性シートとを軸受シール内に埋め込んで設け、前記軸受シールは、芯金にゴムを加硫接着したものであり、ＩＣチップとアンテナと磁性シートとを、ゴムと同時に加硫接着したものであっても良い。前記「同時」とは「共に」と同義である。
前記磁性シートにおける軸受空間側の内側面を、軸受シール内の芯金に接触または近接して配置し、前記磁性シートの外側面にインレットを配置したものであっても良い。
これらの場合、インレットを軸受シールに固定する工程と、芯金にゴムを加硫接着する工程とを同時に行うことができるため、工数の低減を図れ、これにより製造コストの低減を図れる。
【００１１】
前記インレットと磁性シートとを軌道輪に埋め込んで設け、前記軌道輪の端面または周面に凹部を設け、この凹部にインレットと磁性シートとを設けたものとしても良い。
前記磁性シートの一側面を、前記軌道輪における凹部の底部に配置し、前記磁性シートの他側面にインレットを配置したものとしても良い。
前記軌道輪の凹部にインレットと磁性シートとを挿入して設け、前記凹部の開口部を、弾性材料または熱硬化性樹脂により封止したものであっても良い。
これらの場合、インレットおよび磁性シートを、直接、軌道輪に埋め込むため、例えば、インレット等をタグケースに内蔵したものを軌道輪に埋め込むよりも、凹部寸法を小さくすることができる。これにより、軸受強度への影響を小さくすることができる。
【００１２】
前記ＩＣチップとアンテナとが同一の薄板状部材に実装して成り、この薄板状部材における実装面とは反対側の面に、磁性シートを貼り付けたものとしても良い。ＩＣチップやアンテナが小さい場合、これらを薄板状部材に実装することで、組立時におけるハンドリング性を向上させ、取り扱いが良くなる。
【００１３】
前記ＩＣチップには、軸受の製造または検査に関する情報、および、軸受が装置に組み込まれた後に実施する、装置の点検情報または運転情報を記録するメモリが設けられているものであっても良い。この場合、軸受を装置に組み込んだ状態で、各種情報をメモリから容易に読み出すことができる。
【００１４】
この発明における第２の発明のＲＦＩＤ機能付軸受は、非接触状態で情報通信が可能なＲＦＩＤ機能を有する軸受であって、ＩＣチップと、このＩＣチップに接続されフェライトコアに電線を巻回したアンテナとを、軌道輪に埋め込んで設けたことを特徴とする。
この構成によると、例えば、インレット等をタグケースに内蔵したものを軌道輪に埋め込むよりも、凹部寸法を小さくすることができる。これにより、軸受強度への影響を小さくすることができる。
【００１５】
この発明における軸受シールは、軸受に取付けられ軸受の軌道輪間の軸受空間を密封する軸受シールであって、この軸受シールは、芯金と、この芯金を覆う弾性体とを有し、ＩＣチップおよびこのＩＣチップに接続されたアンテナを含むインレットと、磁性シートとを、重なり状態で前記弾性体内に埋め込んだことを特徴とする。この構成によると、例えば、ＩＣタグを軸受シールに内蔵したもの等より、シールのコンパクト化を図ることができる。インレット等をタグケースに内蔵するのではなく、インレットと磁性シートとを、直接、軸受シールの弾性体内に埋め込むため、例えば、インレット等をタグケースに内蔵する手間やコストの低減を図ることができる。また磁性シートを介在させることで、ＩＣチップに対する情報の書き込みおよび読み取りを行う際、芯金の金属表面に電磁誘導が発生することを、未然に防止することができる。これにより、インレットとリーダライタとの間で良好な通信を行うことが可能となる。
【発明の効果】
【００１６】
この発明のＲＦＩＤ機能付軸受は、非接触状態で情報通信が可能なＲＦＩＤ機能を有する軸受であって、ＩＣチップおよびこのＩＣチップに接続されたアンテナを含むインレットと、磁性シートとを、重なり状態で、軸受空間を密封する軸受シール内または軌道輪に埋め込んで設けたため、コンパクト化を図ることができるうえ手間やコストの低減を図れ、また、良好な通信を行うことができる。
この発明の軸受シールは、軸受に取付けられ軸受の軌道輪間の軸受空間を密封する軸受シールであって、ＩＣチップおよびこのＩＣチップに接続されたアンテナを含むインレットと、磁性シートとを、重なり状態で前記軸受シール内に埋め込んだため、コンパクト化を図ることができるうえ手間やコストの低減を図れ、また、良好な通信を行うことができる。
【図面の簡単な説明】
【００１７】
【図１】（Ａ）は、この発明の第１の実施形態に係るＲＦＩＤ機能付軸受の断面図、（Ｂ）は図１（Ａ）のＡ部の拡大図である。
【図２】同ＲＦＩＤ機能付軸受の一側面図である。
【図３】図２のＢ部の拡大図である。
【図４】同ＲＦＩＤ機能付軸受におけるインレット等の回路構成例を示すブロック図である。
【図５】同ＲＦＩＤ機能付軸受における軸受シールのシール成形型の断面図である。
【図６】この発明の他の実施形態に係るＲＦＩＤ機能付軸受の断面図である。
【図７】図６のＣ部の拡大図である。
【図８】この発明のさらに他の実施形態に係る要部の拡大断面図である。
【図９】この発明の他の実施形態に係るＲＦＩＤ機能付軸受の断面図である。
【図１０】図９のＤ部の拡大図である。
【図１１】従来例のシールの拡大断面図である。
【図１２】他の従来例のシールの拡大断面図である。
【発明を実施するための形態】
【００１８】
この発明の第１の実施形態に係るＲＦＩＤ機能付軸受を図１ないし図５と共に説明する。以下の説明は、軸受シールおよびその製造方法の説明をも含む。
この実施形態に係るＲＦＩＤ機能付軸受は、図１（Ａ）に示すように、転がり軸受に装着する軸受シール５内に、後述のインレットおよび磁性シートをインサート成型した例を示す。このＲＦＩＤ機能付軸受は、軌道輪である内輪１および外輪２と、これら内外輪１，２の軌道面１ａ，２ａ間に介在させた複数の転動体３と、これら転動体３を円周方向一定間隔おきに保持する保持器４と、内外輪１，２間の環状の軸受空間の両端をそれぞれ密封する軸受シール５，５とを有する。転動体３は玉からなり、この軸受は深溝玉軸受とされている。但し、深溝玉軸受に限定されるものではなく、アンギュラ玉軸受等を適用することも可能である。
【００１９】
軸受シール５，５は、この例では同一構成のシールからなり、軸受両側に対称に設けられるため、一方の軸受シール５のみ詳細に説明し、他方の軸受シール５については詳細な説明を省略する。この軸受シール５は、接触タイプのシールが適用され、図１（Ａ）のＡ部を拡大する図１（Ｂ）に示すように、芯金６と、この芯金６を覆うゴムまたは合成樹脂からなる弾性体７とを有する。この例の軸受シール５として、芯金６に、例えば、ニトリルゴム（略称；ＮＢＲ）などのゴムを加硫接着したゴムシールが適用される。
【００２０】
外輪２の内周面における両端部には、軸受シール５を固定する外輪シール溝２ｂが形成されている。この外輪シール溝２ｂに、軸受シール５の外周縁部が嵌合して取付けられている。内輪１の外周面における両端部には、軸受シール５の内周部に対応する位置にて、内輪シール溝８が形成されている。内輪シール溝８は、軸受内から軸方向外側に向けて順次、内傾斜面８ａ、溝底面（図示せず）、および外傾斜面８ｂを有し、これら内傾斜面８ａ、前記溝底面、および外傾斜面８ｂにより断面略Ｖ字形状に形成されている。内傾斜面８ａは、内輪外径面１ｃおよび前記溝底面に繋がり、外径側から内径側に向かうに従って、軸方向外側に傾斜する断面形状に形成されている。前記内傾斜面８ａに、後述のシールリップ部がアキシアル方向に接触する。外傾斜面８ｂは、前記溝底面に繋がり、内径側から外径側に向かうに従って、軸方向外側に傾斜する断面形状に形成されている。
【００２１】
軸受シール５の芯金６は、外径側から順次、円筒部６ａと、立板部６ｂと、傾斜部６ｃとを有する。立板部６ｂが内外輪１，２の端面よりも軸方向内側で同端面と略平行に配置される。この立板部６ｂの基端に円筒部６ａが繋がり、これら立板部６ｂと円筒部６ａとで断面Ｌ字形状を成す。円筒部６ａと、この円筒部６ａの外周面に設けられる弾性体７の一部とでなる軸受シール５の外周縁部が、外輪シール溝２ｂに嵌合固定される。立板部６ｂの先端には、内径側に向かうに従って軸方向内側に傾斜する傾斜部６ｃが繋がっている。
【００２２】
芯金６における、立板部６ｂの外表面は薄肉形状の覆い部９で覆われ、傾斜部６ｃの内外表面は覆い部１０で覆われる。この覆い部１０の内径側先端に、繋ぎ部１１を介してシールリップ部１２，１３が二股に設けられる。これら覆い部１０、繋ぎ部１１、およびシールリップ部１２，１３は、それぞれ弾性体７の一部を成す。
シールリップ部１２，１３における一方のシールリップ部１２は、内径側に向かうに従って軸方向内側に傾斜して、このシールリップ部１２が内傾斜面８ａに対しアキシアル接触する。他方のシールリップ部１３は、内径側に向かうに従って軸方向外側に傾斜し、この先端部分が内輪肩径１ｄに対し隙間を介して対向する。
【００２３】
インレットおよび磁性シートについて説明する。
図２はこのＲＦＩＤ機能付軸受の一側面図であり、同図Ｂ部にてインレット等を破断して示す。軸受シール５内における円周方向の一箇所に、インレット１４と磁性シート１５とが設けられている。これらインレット１４と磁性シート１５とは、図１（Ｂ）に示すように、重なり状態で覆い部９内に埋め込まれている。磁性シート１５における軸受空間側の内側面を、軸受シール５内の芯金６に近い位置、具体的には、立板部６ｂの外表面に接触または近接して配置し、磁性シート１５の外側面にインレット１４を配置している。磁性シート１５としては、一般的に、フェライトが用いられて薄いシート状に形成される。この磁性シート１５は、金属表面への電磁誘導を防止するものであり、通信周波数において、高透磁率と低磁気損失とを実現し、高い通信特性（Ｑ値）を持つものを使用する。金属表面この例では芯金表面に磁界が吸収されると、正常な通信ができなくなるためである。
【００２４】
図３は図２のＢ部の拡大図である。図３に示すように、インレット１４は、ＩＣチップ１６と、このＩＣチップ１６に接続されたアンテナ１７とを含む。ＩＣチップ１６として、例えば、I-CODE-SLI，Mifare，Tag-it，FRAM（登録商標），My-dなどを適用可能であるが、これらに限定されるものではない。前記アンテナ１７は、例えば、エナメル線などを平面状で且つ渦巻状に巻回したコイルである。このアンテナ１７はコイルアンテナと称される。なお基板に導電材料をエッチングしたコイルアンテナを適用しても良い。コイルアンテナの中央空間に、ＩＣチップ１６が配置されている。コイルアンテナの一端１７ａおよび他端１７ｂがそれぞれＩＣチップ１６に電気的に接続されている。
【００２５】
図４は、この軸受におけるインレット等の回路構成例を示すブロック図である。インレット１４におけるＩＣチップ１６は、中央処理装置（ＣＰＵ）１８と、メモリ１９と、無線周波数回路２０と、変調回路２１と、復調回路２２と、電源回路２３とを有する。電源回路２３は、アンテナ１７に電気的に接続され、このアンテナ１７から電源を得る。電源回路２３は、中央処理装置１８の駆動に用いられる。メモリ１９は情報の記録に電源が不要なものが用いられる。このメモリ１９には、例えば、軸受の製造または検査に関する情報、および、軸受が図示外の装置に組み込まれた後に実施する、装置の点検情報または運転情報を記録する。
アンテナ１７から受信した無線周波数は、無線周波数回路２０を介して復調回路２２に供給され、この復調回路２２にて復調される。中央処理装置１８は、その復調した種々の情報をメモリ１９に記録させる。中央処理装置１８は、メモリ１９から情報を読み出し、変調回路２１は、その読み出した情報を変調してアンテナ１７から後述のリーダライタ２４に送信可能に構成されている。
【００２６】
リーダライタ２４は、インレット１４におけるＩＣチップ１６に対して非接触で情報（信号）の伝達および電力の供給が可能なものである。リーダライタ２４は、ＣＰＵ２５と、メモリ２６と、送受信回路２７と、電源回路２８とを有し、アンテナ２９および送受信回路２７を介してＣＰＵ２５とＩＣチップ１６との信号の送受信が行われる。この送受信を行う通信周波数は、例えば１３．５６ＭＨｚ（電磁誘導および電磁結合）が採用されているが、必ずしもこの周波数に限定されるものではない。その他の通信周波数として、２．４５ＧＨz（マイクロ波通信），８６０〜９６０ＭＨz（ＵＨＦ通信）なども採用可能である。但し、これらの場合、アンテナ１７の形状が本実施の前記コイルアンテナとは異なる。すなわち電磁誘導及び電磁結合の場合、コイルアンテナを採用し、その他のマイクロ波通信やＵＨＦ通信の場合、ダイポールアンテナ（直線状のアンテナ）を採用する。
【００２７】
リーダライタ２４は、さらに管理ホスト機３０となるコンピュータに対して、通信経路３１を介して接続する通信手段３２を有している。通信経路３１は、ケーブルまたは無線通信回線であっても、またローカルエリアネットワークや、インターネット、その他の広域ネットワークであっても良い。管理ホスト機３０には、例えば、装置に複数の軸受が組み込まれている場合に、装置の各軸受の製造または検査に関する情報、装置の点検情報、運転情報等が出力されて管理可能に構成されている。
リーダライタ２４を、点検または検査しようとする所望の軸受に近づけて、インレット１４のＩＣチップ１６の電源回路２３に電力を供給すると共に、リーダライタ２４の入出力操作に応じて、メモリ１９からの情報の読み出しまたはメモリ１９への情報の書き込みを行う。この場合、軸受を装置に組み込んだ状態で、各種情報をメモリ１９から容易に読み出すことができ、また各種情報をメモリ１９に容易に書き込むことができる。
【００２８】
図５は、前記軸受シール５のシール成形型３３の断面図である。シール成形型３３は、組合わされる２個の金型３３ａおよび金型３３ｂを有する。これらのうち金型３３ａは、シール部材５の内面側部分を成形する環状のキャビティ部分を有する。金型３３ｂは、シール部材５の外面側部分を成形する環状のキャビティ部分を有する。これら２個の金型３３ａおよび金型３３ｂを互いに組合わせた状態で、シール部材５を成形するキャビティ３４が形成される。キャビティ３４の例えば外周面部分に隣接して、弾性体７の材料を前記キャビティ３４に注入するゲート３５が設けられている。
シール成形型３３のキャビティ３４に、芯金６、磁性シート１５、およびインレット１４を重なり状態で配置する。次に、弾性体７の材料をゲート３５からキャビティ３４に流し込み、インレット１４と磁性シート１５とを、弾性体７と同時に加硫接着する。これにより、ＩＣチップ１６およびアンテナ１７を含むインレット１４と磁性シート１５とが、重なり状態で軸受シール５内に埋め込まれる。その後、金型３３ａと金型３３ｂを開き、シール成形型３３から軸受シール５を取り出す。
【００２９】
作用効果について説明する。
この構成によると、インレット１４と磁性シート１５とを重なり状態で軸受シール５内に埋め込んだため、例えば、ＩＣタグを軸受シールに内蔵したもの等より、軸受全体のコンパクト化を図ることができる。インレット等をタグケースに内蔵するのではなく、インレット１４と磁性シート１５とを、直接、軸受シール５内に埋め込むため、例えば、インレット等をタグケースに内蔵する手間やコストの低減を図ることができる。また磁性シート１５を介在させることで、ＩＣチップ１６に対する情報の書き込みおよび読み取りを行う際、軸受シール５や内外輪１，２の金属表面に電磁誘導が発生することを、未然に防止することができる。これにより、インレット１４とリーダライタ２４との間で良好な通信を行うことが可能となる。
【００３０】
アンテナ１７として平面状に巻回したコイルを適用したため、アンテナ１７の薄型化を図れ、フェライトコアに巻回した電線を適用したものや、従来のタグ形状よりも、軸受全体のコンパクト化をより図ることができる。
磁性シート１５における軸受空間側の内側面を、軸受シール５内の芯金６に近い位置に配置し、磁性シート１５の外側面にインレット１４を配置したため、インレット１４を軸受シール５に固定する工程と、芯金６にゴムを加硫接着する工程とを同時に行うことができる。このため、工数の低減を図れ、製造コストの低減を図れる。
【００３１】
他の実施形態について説明する。
以下の説明においては、各形態で先行する形態で説明している事項に対応している部分には同一の参照符を付し、重複する説明を略する。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００３２】
図６に示すように、インレット１４と磁性シート１５とを、外輪２に埋め込んで設けても良い。なお図６の軸受シール５は、外輪２への組込前の自然状態を示す（図９も同じ）。軸受シール５を外輪２に組込後、軸受シール５のシールリップ部１２が、内傾斜面８ａに接触する（図１（Ｂ）参照）。この例では、外輪２の端面および外周面にそれぞれ有底円筒孔状の凹部３６を設け、各凹部にインレットと磁性シートとを挿入して設けている。図７は図６のＣ部の拡大図である。図７に示すように、外輪２の端面における凹部３６の底部３６ａに、磁性シート１５の一側面を配置し、前記磁性シート１５の他側面にインレット１４を配置し、さらに前記凹部３６の開口部を、ゴムなどの弾性材料または樹脂により封止することで、インレット等を固定している。弾性材料または樹脂による層は、モールド層３７とも称される。前記ゴムは、例えば、一液性のシリコーンやフッ素などを充填し硬化させている。前記樹脂は、例えば、熱硬化性や室温硬化性のウレタンやエポキシなどを充填し硬化させている。但し、これらの材料に限定されるものではない。なお外輪２にインレット等を埋め込む構成に代えて、または外輪２にインレット等を埋め込むと共に、内輪１の端面に凹部３６を設け、この凹部３６にインレット１４および磁性シート１５を設けても良い。
【００３３】
図６，図７の構成によると、インレット１４および磁性シート１５を、ケース等に収めることなく、直接、軌道輪に埋め込むため、インレット等をケース等に内蔵する手間やコストの低減を図ることができる。また磁性シート１５を介在させることで、ＩＣチップ１６に対する情報の書き込みおよび読み取りを行う際、軌道輪の金属表面に電磁誘導が発生することを、未然に防止することができる。これにより、インレット１４とリーダライタとの間で良好な通信を行うことが可能となる。
また、インレット１４および磁性シート１５を、直接、軌道輪に埋め込むため、例えば、インレット等をタグケースに内蔵したものを軌道輪に埋め込むよりも、凹部寸法を小さくすることができる。これにより、軸受強度への影響を小さくすることができる。
【００３４】
図８に示すように、ＩＣチップ１６とアンテナ１７とが同一の薄板状部材３８に実装して成り、この薄板状部材３８におけるＩＣチップ１６等の実装面とは反対側の面に、磁性シート１５を貼り付けても良い。また凹部３６の底部３６ａに磁性シート１５が配置され、凹部３６の開口部がモールド層３７で封止されている。ＩＣチップ１６やアンテナ１７が小さい場合、これらを同一の薄板状部材３８に実装することで、組立時におけるハンドリング性を向上させ、取り扱いが良くなる。
【００３５】
図９および図１０に示すように、外輪２の凹部３６に、ＩＣチップ１６と、このＩＣチップ１６に接続されフェライトコア３９に電線４０を巻回したアンテナ１７Ａとを挿入し、凹部３６のうち巻回された電線４０の外周側の環状空間を、モールド層３７で充填した構成としても良い。図１０は図９のＤ部の拡大図である。フェライトコア３９は円筒形に形成され、凹部３６の軸心と同心に配置される。またフェライトコア３９の一端部にＩＣチップ１６が配置され、このＩＣチップ１６が凹部３６の底部３６ａに配置されている。
【００３６】
この構成によると、リーダライタから発する磁界が、フェライトコア３９に集中するため、金属から発する逆向きの磁界の影響が小さくなる。また、ＩＣチップ１６と、フェライトコア３９に電線４０を巻回したアンテナ１７Ａとを、直接、軌道輪に埋め込むため、例えば、インレット等をタグケースに内蔵したものを軌道輪に埋め込むよりも、凹部寸法を小さくすることができる。これにより、軸受強度への影響を小さくすることができる。
なお、図９および図１０の構成において、凹部３６の底部３６ａに、磁性シート１５を設けても良い。この場合、磁性シート１５により、妨害となる磁界をより確実に防ぐことができる。
【００３７】
その他、軸受の樹脂保持器の端面に凹部を設けて、この凹部に、ＩＣチップおよびアンテナを挿入し、その後、熱硬化性や室温硬化性のウレタンや、エポキシなどを充填し硬化させたモールド層を設けても良い。このようなモールド層に代えて、またはモールド層と共に、超音波溶着やホットメルトなどにより、前記凹部の開口部を封止しても良い。
【符号の説明】
【００３８】
１…内輪
２…外輪
５…軸受シール
６…芯金
１４…インレット
１５…磁性シート
１６…ＩＣチップ
１７…アンテナ
１９…メモリ
３６…凹部
３８…薄板状部材
【図１】
2013151975.tif 000003
【図２】
2013151975.tif 000004
【図３】
2013151975.tif 000005
【図４】
2013151975.tif 000006
【図５】
2013151975.tif 000007
【図６】
2013151975.tif 000008
【図７】
2013151975.tif 000009
【図８】
2013151975.tif 000010
【図９】
2013151975.tif 000011
【図１０】
2013151975.tif 000012
【図１１】
2013151975.tif 000013
【図１２】
2013151975.tif 000014